(57)【要約】【課題】土壌汚染調査において、小径で深い調査孔を人力で掘削し、口元が大径化して作業量が増大する問題を解決するとともに、小径長尺化にともなう強度低下を防止する、効率的な作業が可能となるダブルスコップを提供する。【解決手段】ダブルスコップを開閉する支点２を、ビット先端から十分に離し、柄１の作業者が把持する部分を曲げて、柄１の孔内に入る部分が最小寸法となる構造とした。また、強度低下を防止するため、円弧断面のビット１ｃにおいて、先端から支点付近まで円弧断面を形成する構造として剛性を高め、掘削に伴うねじりや座屈荷重に耐える強度を得た。【選択図】図３
0003142741.tif 000002
【実用新案登録請求の範囲】
【請求項１】
力点となる柄と、柄を連結し開閉の支点を備えた板と、板に連結し作用点となって地面を掘削するビットからなり、
２本の柄を両手で操作してビットが開閉し、地表面に穴を掘削する複式のスコップ状の工具で、
ビットを開閉する支点から、ビット先端までの距離が、ビットの開口幅の少なくとも７倍以上で、多くとも２０倍以下であり、
２本の柄を閉じる操作により、ビット先端が閉じる動作をすることを特徴とするダブルスコップ。
【請求項２】
前記の柄は、
柄を操作して２本の柄を閉じる操作をし、２本の柄の地下に入る部分は概ね平行となるが、
地上部にあって把持する部分は曲げられて平行でなく、
柄の曲がりの起点からビット先端までの距離は、ビットの開口幅の少なくとも１０倍以上で、多くとも２５倍以下であり、
前記の平行となる部分は、開いたときの最大幅がビットの開口幅以下であること特徴とする請求項１に記載のダブルスコップ。
【請求項３】
前記のビットは、
対の断面が概ね円弧形で、円弧の弦幅は、ビットの開口幅の０．６倍から０．９倍の範囲にあって、
かつ、ビットが開いた状態で先端付近の側面の相互の距離は、ビットの開口幅の０．４倍から０．６倍の範囲にあって、長辺が開口幅の直方体をビットが挟持できることを特徴とする請求項１または請求項２に記載のダブルスコップ。
【請求項４】
前記のビットは、
概ね円弧形の断面を有する部分が、ビットを開閉する支点から、ビット先端までの多くの部分で、等しいかもしくは相似の断面あることを特徴とする請求項１または請求項２または請求項３に記載のダブルスコップ。
【考案の詳細な説明】
【技術分野】
【０００１】  この考案は地質調査などに用いられるダブルスコップに関するものである。
【背景技術】
【０００２】  近年、有害物質による土壌汚染が社会問題となっており、汚染調査がおこなわれる。この汚染調査は、地表部の舖装面および舗装面下の砕石などを除いた土壌表面を基準に、深さ５０ｃｍまでの土壌試料を採取し、有害物質の濃度を分析して初期段階の評価をする。
このとき、舗装厚さと砕石厚さが加算されるため、土壌表面から深さ５０ｃｍの土壌試料を採取するのに、地表部からの掘削深さが１ｍを超えることも多い。
この分野で従来広く用いられている試料の採取工具として、舖装部をダイヤモンドカッタで掘削した後に、人力で２本の柄を把持して一対のスコップを開閉操作して掘削するダブルスコップがあり、鋼製で直径は１３ｃｍ前後、柄の長さ１．５ｍ前後で、ダイヤモンドカッタによる舗装部の掘削径は２０ｃｍ前後である。【０００３】  土壌汚染調査に必要な土壌試料は数１００ｇであり、ボーリング調査であれば試料径は４〜５ｃｍあればよいが、実用化されているダブルスコップの直径が大きいことから、必要以上の労力を消費して大径の掘削作業が強いられ好ましくない。
同時にダイヤモンドカッタの掘削径が必然的に２０ｃｍ前後となり、必要な土壌試料に対して不効率であるばかりでなく、調査孔の復旧にも相応の無駄があり、環境負荷が高い。
さらに、ダブルスコップの柄の開閉距離は、掘削深度増加に比例増加するため、調査孔の口径が同様に比例増加する弊害がある。すなわち、調査孔の軸方向の断面が円錐形となるため、深度増加に対し作業量は著しく増加する。このとき、余分に発生する土砂は汚染物質を含むことから、最小限であるべきだが、不必要に多く処分費が増大する問題もある。
【考案の開示】
【考案が解決しようとする課題】
【０００４】  この考案は上記の技術的背景に基づいてなされたものであり、土壌試料採取作業の効率化、土壌汚染調査の経済化を課題としている。
【課題を解決するための手段】
【０００５】  この考案は上記課題を解決するために次のような手段をとる。
ダブルスコップの小径化を図るとともに、深度が増しても調査孔の口径が比例増加することなく、長方形断面の調査孔を掘削でき、かつ、小径長尺化による強度低下がないことを特徴とするダブルスコップの提供である。
【考案の効果】
【０００６】  この考案の提供により、土壌試料採取作業の効率化、土壌汚染調査を経済化することができ、土壌汚染調査に関し、極めて有効な結果効果を得ることができる。
【考案を実施するための最良の形態】
【０００７】  この考案の実施の形態を図面を参照しながら以下に説明する。
図１は、この考案のダブルスコップの構造を示す図である。
１はスコップで、柄１ａ、板１ｂ、ビット１ｃを備え、二個で一対をなしている。
柄１ａは、１ｄを曲げ起点として角度Ｂ曲がっている。
ビット１ｃは、円弧形状の断面で、弦の長さはＬ３であり、先端は鋭角を形成する。
２は支点部で、ボルト２ａ、ナット２ｂ、座金２ｃを備え、スコップ１を開閉自在に固定し、ビット１ｃ先端を作用点、柄１ａの後端を力点としたとき、梃子の支点となる。
スコップを支点部材で組立て、柄１ａを開くとビット先端が開口し、開口幅Ｄである。
ビット１ｃの先端から、支点２までの距離がＬ１であり、柄１ａの曲げ起点１ｄまでの距離がＬ２、ビット１ｃが開いた状態で、ビットの先端付近Ａ部の断面でビット相互の間隔がＬ４である。【０００８】  図２は、この考案のダブルスコップの部品の構成を示した図である。
一対をなすスコップの板１ｂに設けた穴に、ボルト２ａを通しナット２ｂで締結する。このとき開閉の安定を図るため、座金２ｃがボルト２ａとナット２ｂの間に組み込まれている。すなわちボルト２ａは締結部材であるとともに、梃子の支点をなす軸部材としての機能を有する。
【実施例】
【０００９】  図３は、この考案のダブルスコップで掘削をした状態であり、右はビットの閉じた状態で、左はビットが開いた状態を示した図である。
このとき、図１のＬ２相当深度まで掘削できることを示しており、柄１ａに曲がりがあることで、柄１ａを把持して操作する作業性が向上する。
ここで、図１に示すＬ１，Ｌ２，Ｄの関係は次のとおりである。
７×Ｄ≦Ｌ１≦２０×Ｄ    ，    １０×Ｄ≦Ｌ２≦２５×Ｄ
また、図１に示す柄１ａの曲がりの起点１ｄ付近は、柄１ａの開いた状態で、最大幅がビットの開口幅Ｄとなる構造である。これらの構造によって、図３の調査孔の断面が長方形となり、口元が大きくなり円錐形の断面になって作業量が増大する問題を解決していることがわかる。【００１０】  図４は、この考案のダブルスコップで礫等３を把持した状態であり、ビット１ｃの先端部の断面が円弧状であって、ビット１ｃの弦の長さがＬ３、ビット１ｃの相互の距離がＬ４、礫等３の幅が開口幅Ｄであることを示した図である。
ダブルスコップの小径化を進める反面で、礫等３を把持して地上に回収し、調査孔の効率的な掘削が可能であることを示している。
ここで、図３に示すＬ３，Ｌ４，Ｄの関係は次のとおりである。
０．６×Ｄ≦Ｌ３≦０．９×Ｄ    ，    ０．４×Ｄ≦Ｌ４≦０．６×Ｄ
これらの構造で、地上に回収できる礫等３の最大の大きさは、長さＤ，幅０．９Ｄ，高さ０．６Ｄであり、Ｄ＝７０ｍｍとしたとき、一般的な建造物の基盤に用いられる砕石は４０ｍｍサイズだが、回収可能であり、結果、効率のよい土壌試料採取ができる。【００１１】図１から図４に、ビット１ｃの先端から、支点２までの距離Ｌ１のほとんどが、円弧断面を有していることを示しており、このことによって、全体の剛性が高く、掘削作業による変形、特にねじれや座屈などによる変形防止効果が極めて高い。すなわち、小径長尺構造とすることによる、強度低下の問題を解決した。
【産業上の利用可能性】
【００１２】  以上のように、先端から支点まで十分な距離を確保し、作業者が柄の把持する部分を曲げて、小径長尺化を可能とし、かつ円弧断面を開閉支点近くまで備えて強度低下を防止したダブルスコップは、土壌汚染調査現場での土壌試料採取を迅速に行い、作業時間の大幅短縮が可能で経済効果が高い。
また二次的には、ダイヤモンドカッタの掘削径をも小径化でき、高価なダイヤモンド工具の原価低減を図ることができ、さらに、埋め戻し作業や汚染物質を含む発生土量を削減することが可能となり、土壌汚染調査の総合的なコスト低減が期待でき、本考案が寄与する産業上の利用価値は高い。
【図面の簡単な説明】
【００１３】
【図１】この考案のダブルスコップの組立図である。
【図２】この考案のダブルスコップの部品構成図である。
【図３】この考案のダブルスコップの実施例を示す図である。
【図４】この考案のダブルスコップの実施例を示す図である。
【符号の説明】
【００１４】１：スコップ
１ａ：柄
１ｂ：板
１ｃ：ビット
１ｄ：柄の曲げ起点
２：支点
２ａ：ボルト
２ｂ：ナット
２ｃ：座金
３：礫等
Ｌ１：ビットの先端から支点までの距離
Ｌ２：ビットの先端から柄の曲げ起点までの距離
Ｌ３：ビットの円弧断面における弦の長さ
Ｌ４：一対をなすビット相互の距離
Ａ：ビット先端部の断面を示す位置
Ｂ：柄の曲げ角度
Ｄ：ビットの開口幅
【図１】
0003142741.tif 000003
【図２】
0003142741.tif 000004
【図３】
0003142741.tif 000005
【図４】
0003142741.tif 000006